(57)【要約】【課題】対象物を引っ掛けた状態に維持することができ、かつ、対象物からの取り外しも容易に行うことができるフラットフックを提供する。【解決手段】平板状の金属材料を板厚方向に湾曲させてＵ字状に形成された引っ掛け部２を有するフック本体３と、該フック本体３の引っ掛け部２の開口４を開閉するようにフック本体３に移動可能に取り付けられる抜け止め部材５と、開口４を閉じる方向に抜け止め部材５を付勢する付勢部材６とを備え、抜け止め部材５が、フック本体３の幅方向外方に突出し、操作者により操作される操作部１１を備えるフラットフック１を提供する。【選択図】図１
2015036582.tif 000002
【特許請求の範囲】
【請求項１】
平板状の金属材料を板厚方向に湾曲させてＵ字状に形成された引っ掛け部を有するフック本体と、
該フック本体の前記引っ掛け部の開口を開閉するように前記フック本体に移動可能に取り付けられる抜け止め部材と、
前記開口を閉じる方向に前記抜け止め部材を付勢する付勢部材とを備え、
前記抜け止め部材が、前記フック本体の幅方向外方に突出し、操作者により操作される操作部を備えるフラットフック。
【請求項２】
前記操作部が、前記フック本体の幅方向の両側に突出している請求項１に記載のフラットフック。
【請求項３】
前記抜け止め部材が、前記フック本体の幅方向に平行な揺動軸回りに揺動可能に設けられ、前記操作部が、前記抜け止め部材の揺動軸から揺動半径方向に離れた位置のみにおいて前記フック本体の幅方向に突出している請求項１または請求項２に記載のフラットフック。
【発明の詳細な説明】
【技術分野】
【０００１】
本発明は、フラットフックに関するものである。
【背景技術】
【０００２】
従来、平板状の金属材料を板厚方向に湾曲させてＵ字状に形成された引っ掛け部を有するフラットフックが知られている（例えば、非特許文献１参照。）。このフラットフックは、引っ掛け部に対象物を引っ掛けて対象物と引っ掛け部の内面とが相互に押し合うように力をかけることにより、引っ掛けた状態を維持することができるようになっている。また、平板状の金属材料を打ち抜くことによりＵ字状に形成された引っ掛け部を有し、引っ掛け部の開口を開閉する抜け止め部材が設けられたスナップフックも知られている。
【先行技術文献】
【特許文献】
【０００３】
【非特許文献１】アンクラジャパン総合カタログ  Ｖｏｌ．１０  ２００９年  ｐ９，２５
【発明の概要】
【発明が解決しようとする課題】
【０００４】
しかしながら、非特許文献１のフラットフックは、抜け止め部材を有していないため、引っ掛け部の開口が常に開放されており、対象物と引っ掛け部の内面とを相互に押し合わせる力が解除されると、簡単に対象物から引っ掛け部が外れてしまうという不都合がある。一方、スナップフックのように抜け止め部材を配置すれば、引っ掛け部が外れてしまうことを防止することができるが、その場合には以下の問題がある。
【０００５】
すなわち、まず第１に、フラットフックは、平板状の金属材料を板厚方向に湾曲させて引っ掛け部を形成しているので、スナップフックと比べると比較的大きな幅を有しており、引っ掛け部が操作者から見て裏側にある状態で対象物に引っ掛けられている場合には、抜け止め部材の存在に気づき難く、引っ掛け状態を解除するのに手間がかかるという問題がある。
【０００６】
第２に、抜け止め部材は、通常、バネによって閉じた状態に付勢されるため、引っ掛け部を開放させるには、バネの付勢力に抗して抜け止め部材を移動させる必要があり、操作者は適所に力を加える必要がある。しかし、上記のように引っ掛け部が操作者から見て裏側にある状態では、操作者が抜け止め部材のどの位置に力を加えればよいのかを判断することが困難であり、操作者は手探りで力をかける位置を探さなければならず、対象物からの取り外しに時間がかかるという問題がある。
本発明は、上述した事情に鑑みてなされたものであって、対象物を引っ掛けた状態に維持することができ、かつ、対象物からの取り外しも容易に行うことができるフラットフックを提供することを目的としている。
【課題を解決するための手段】
【０００７】
上記目的を達成するために、本発明は以下の手段を提供する。
本発明の一態様は、平板状の金属材料を板厚方向に湾曲させてＵ字状に形成された引っ掛け部を有するフック本体と、該フック本体の前記引っ掛け部の開口を開閉するように前記フック本体に移動可能に取り付けられる抜け止め部材と、前記開口を閉じる方向に前記抜け止め部材を付勢する付勢部材とを備え、前記抜け止め部材が、前記フック本体の幅方向外方に突出し、操作者により操作される操作部を備えるフラットフックを提供する。
【０００８】
本態様によれば、フック本体のＵ字状の引っ掛け部を対象物に引っ掛けて、抜け止め部材によって引っ掛け部の開口を閉じることにより、引っ掛け部に力をかけ続けなくても、対象物にフラットフックを引っ掛けた状態に維持することができる。そして、フラットフックを対象物から取り外すときには、操作者は、操作部を操作して付勢部材に抗して抜け止め部材を移動させることにより、引っ掛け部の開口を開放する。これにより、フラットフックを対象物から容易に取り外すことができる。
【０００９】
この場合において、引っ掛け部が操作者から見てフック本体の裏側にある場合にも、操作者は、フック本体の幅方向外方に突出している操作部を容易に目視で確認することができる。したがって、操作者は、視認できた抜け止め部材を容易に操作することができ、手探りで抜け止め部材の操作位置を探す必要がなく、対象物からのフラットフックの取り外しを容易に行うことができる。
【００１０】
上記態様においては、前記操作部が、前記フック本体の幅方向の両側に突出していてもよい。
このようにすることで、操作者は、フック本体の幅方向両側に突出する２つの操作部を同時につかむように指をかけて操作することができ、抜け止め部材に力をかけ易くなり、フラットフックを対象物から取り外す際の操作性をさらに向上させることができる。
【００１１】
上記態様においては、前記抜け止め部材が、前記フック本体の幅方向に平行な揺動軸回りに揺動可能に設けられ、前記操作部が、前記抜け止め部材の揺動軸から揺動半径方向に離れた位置のみにおいて前記フック本体の幅方向に突出していてもよい。
このようにすることで、引っ掛け部が操作者から見てフック本体の裏側にある場合においても、操作部の存在を容易に確認することができるのみならず、引っ掛け部を小さい力で揺動させるために適した位置に力をかけることができ、フラットフックの操作性をさらに向上させることができる。
【発明の効果】
【００１２】
対象物を引っ掛けた状態に維持することができ、かつ、対象物からの取り外しも容易に行うことができるという効果を奏する。
【図面の簡単な説明】
【００１３】
【図１】本発明の一実施形態に係るフラットフックの斜視図である。
【図２】本発明の一実施形態に係るフラットフック側面図である。
【図３】本発明の一実施形態に係るフラットフック正面図である。
【図４】本発明の一実施形態に係るフラットフックを被固定部に引っ掛けた状態の車椅子固定装置の全体正面図である。
【発明を実施するための形態】
【００１４】
本発明の一実施形態に係るフラットフック１について、図面を参照して以下に説明する。
本実施形態に係るフラットフック１は、図１から図３に示されるように、Ｕ字状に形成された引っ掛け部２を有するフック本体３と、引っ掛け部２の開口４を開閉するようにフック本体３に、該フック本体３の幅方向に延びる揺動軸線回りに揺動可能に取り付けられた抜け止め部材５と、引っ掛け部２の開口４を閉じる方向に抜け止め部材５を付勢するばね部材６とを備えている。
【００１５】
このフラットフック１は、例えば、自動車等の乗り物の床面Ａに車椅子を固定するための車椅子固定装置３０に使用される。該車椅子固定装置３０は、図４に示されるように、係合部材３１と、該係合部材３１が一端に連結される布製のベルト３２と、該ベルト３２をその他端から巻取る巻芯と、金属製の線材を湾曲させて形成された係合フック部３３と、ベルト３２を巻取る量によりベルト３２の長さを調節するリトラクタ３４と、巻芯の長手軸を含む平面に交差する方向に延びる揺動軸線回りに揺動可能にリトラクタ３４に連結されるフラットフック１とを備えている。
【００１６】
この車椅子固定装置３０は、図４に示されるように、フック本体３の引っ掛け部２を自動車等の乗り物の床面Ａに設置された略Ｕ字形状の金属製の被固定部Ｐ（対象物）に引っ掛けると共に、フック本体３の一端に連結された係合部材３１の係合フック部３３を車椅子に引っ掛けることにより、車椅子と床面Ａとを連結する。そして、リトラクタ３４によりベルト３２の長さを調節してベルト３２に張力をかけることにより、車椅子を床面Ａに固定することができるようになっている。
【００１７】
フック本体３は、図１および図２に示されるように、平板状の金属材料の一端を板厚方向に湾曲させることによりＵ字状に形成された引っ掛け部２を有している。フック本体３の他端側には、板厚方向に貫通する貫通孔８と、フック本体３の幅方向の両側から引っ掛け部２と同じ方向に折り曲げて形成された一対の取付部９とが設けられている。
一対の取付部９間には、抜け止め部材５をその軸線回りに揺動可能に取り付ける揺動軸７が固定されている。
【００１８】
抜け止め部材５は、図１または図３に示されるように、平板状の金属材料の一端を抜け止め部材５の幅方向の両側を板厚方向に折り曲げて形成された一対の折り曲げ部１０を有している。
抜け止め部材５は、一対の折り曲げ部１０に設けた貫通孔に揺動軸７を貫通させることにより、揺動軸７の軸線回りに揺動可能に取り付けられている。
【００１９】
また、抜け止め部材５には、幅方向の両側に幅方向外方に向かって突出する一対の操作部１１が設けられている。操作部１１は、揺動軸７からその揺動半径方向に離れた位置のみにおいて、フック本体３の幅寸法より大きく突出させることにより構成されている。
【００２０】
ばね部材６は、図２に示されるように、揺動軸７に巻き付けられたコイルバネであり、両端がフック本体３と抜け止め部材５の対向する面に引っ掛けられ、これらの面間隔が広がる方向に付勢力を発生するようになっている。
【００２１】
このように構成された本実施形態に係るフラットフック１の作用について以下に説明する。
本実施形態に係るフラットフック１を用いて、被固定部Ｐにフラットフック１を引っ掛けるには、操作者は、被固定部Ｐに抜け止め部材５の外面を押し付けて、抜け止め部材５をバネ部材６の付勢力に抗して揺動させることにより、抜け止め部材５によって閉じられていたフック本体３の開口４を開放させ、引っ掛け部２に被固定部Ｐを引っ掛ける。
【００２２】
そして、被固定部Ｐがフック本体３の開口４から引っ掛け部２内に入ると、被固定部Ｐが抜け止め部材５から外れて、抜け止め部材５を押していた力が解除されるので、抜け止め部材５がばね部材６の付勢力によって開口４を閉じる方向に揺動し、引っ掛け部２の開口４が閉じられる。これにより、被固定部Ｐにフラットフック１を引っ掛けた状態に維持することができる。
【００２３】
一方、フラットフック１を被固定部Ｐから取り外すときには、操作者は、抜け止め部材５に力を加えてフック本体３の開口４を開く方向に揺動させる。これにより、フラットフック１を被固定部Ｐから容易に取り外すことができる。
【００２４】
この場合において、本実施形態に係るフラットフック１は、床面Ａに設けられた被固定部Ｐに引っ掛け部２を引っ掛けるために引っ掛け部２が操作者から見てフック本体３の裏側に配置される形態で使用される。このフラットフック１によれば、抜け止め部材５に幅方向両側に突出する操作部１１が設けられているので、引っ掛け部２が操作者から見てフック本体３の裏側にある場合においても、操作者は、フック本体３の幅方向外方に突出している操作部１１を容易に目視で確認することができる。したがって、操作者は、視認した抜け止め部材５を容易に操作することができ、手探りで抜け止め部材５の操作位置を探す必要がなく、被固定部Ｐからのフラットフック１の取り外しをさらに容易に行うことができる。
【００２５】
また、操作者は、フック本体３の幅方向両端に突出する２つの操作部１１を同時につかむように指をかけて操作することができる。これにより、抜け止め部材５に力をかけ易くなり、フラットフック１を被固定部Ｐから取り外す際の操作性をさらに向上させることができる。
【００２６】
さらに、操作部１１は、揺動軸７から揺動半径方向に離れた位置のみにおいて幅方向に突出しているので、操作者は、操作部１１に力をかけるだけで、抜け止め部材５を揺動させるのに十分なモーメントを発生させることができる。すなわち、操作部１１によって、抜け止め部材５を小さい力で揺動させるために適した位置が指定されるので、フラットフック１の操作性をさらに向上させることができる。
【００２７】
なお、本実施形態に係るフラットフック１においては、付勢部材としてばね部材６を例示しているが、付勢部材はこれに限定されるものではなく、開口４を閉じる方向に抜け止め部材５を付勢することができる部材であればよい。例えば、抜け止め部材５とフック本体３の他端側との対向する面の間に、これらの面に両端が接続されたゴム部材を配置し、ゴム部材が開口４を閉じる方向に抜け止め部材５を付勢するようにしてもよい。
【００２８】
また、本実施形態においては、車椅子固定装置３０に組み込まれて使用されるフラットフック１について説明したが、フラットフック１の用途はこれに限られるものではない。例えば、フラットフック１を布製ベルトの一端に取り付けたラッシングベルトに用いてもよい。
【符号の説明】
【００２９】
１  フラットフック
２  引っ掛け部
３  フック本体
４  開口
５  抜け止め部材
６  ばね部材（付勢部材）
７  揺動軸
１１  操作部
【図１】
2015036582.tif 000003
【図２】
2015036582.tif 000004
【図３】
2015036582.tif 000005
【図４】
2015036582.tif 000006